【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
側視型血管内超音波装置であって、
近位端及び遠位端を有する細長い部材であって、前記遠位端の少なくとも一部分は超音波エネルギーに対して少なくとも透過性がある、前記細長い部材と、
前記遠位端内に配置されるアクチュエータ機構であって、第１のアンカーと、第２のアンカーと、少なくとも１つの可動エレメントと、前記第１のアンカー及び可動エレメントに接続される第１のＳＭＡアクチュエータと、前記第２のアンカー及び少なくとも１つの可動エレメントに接続される変形可能な部品とを備え、前記アンカーエレメントが、前記細長い部材に固定され、前記細長い部材に対して移動しない、前記アクチュエータ機構と、
前記可動エレメントに接続される超音波トランスデューサであって、前記細長い部材の長手方向軸に対して約１５度〜約１６５度の角度で、前記遠位端の前記超音波透過性部分を通じて超音波エネルギーを伝達するように配向される、前記超音波トランスデューサとを備え、
前記第１のアンカーと、前記第２のアンカーと、前記少なくとも１つの可動エレメントと、前記第１のＳＭＡアクチュエータ、および前記アクチュエータ機構の前記変形可能な部品が、前記細長い部材の長手方向軸に対して実質的に平行に配向される長手方向軸に配置され、
前記第１のＳＭＡアクチュエータが駆動状態及び停止状態を有し、
前記可動エレメント及びトランスデューサが、前記第１のＳＭＡアクチュエータの駆動時に前記細長い部材と前記第１のアンカーと第２のアンカーに対して第１の方向に移動する、前記装置。
【請求項２】
前記変形可能な部品が第２のＳＭＡアクチュエータを含み、
前記第２のアクチュエータが駆動状態及び停止状態を有し、
前記第１のＳＭＡアクチュエータの停止後の前記第２のＳＭＡアクチュエータの駆動が、前記可動エレメント及びトランスデューサを前記細長い部材と前記第１のアンカーと第２のアンカーに対して前記第１の移動方向とは反対の第２の移動方向に移動させる、請求項１に記載の装置。
【請求項３】
前記変形可能な部品が弾性又は超弾性であり、
前記変形可能な部品が弛緩状態及び変形状態を有し、
前記変形可能な部品が、前記第１のＳＭＡアクチュエータが停止すると弛緩状態となり、
前記第１のＳＭＡアクチュエータの駆動時の前記可動エレメント及びトランスデューサの前記第１の方向への前記移動が、前記弾性又は超弾性の変形可能な部品を変形させ、そして、
前記第１のＳＭＡアクチュエータの停止後、前記弾性又は超弾性の変形可能な部品が前記弛緩状態に実質的に戻り、前記可動エレメント及びトランスデューサが、前記第１の移動方向とは反対の第２の移動方向に移動する、請求項１に記載の装置。
【請求項４】
前記細長い部材の前記長手方向軸を横断する管腔と、
前記管腔内に配置されて、前記トランスデューサ、第１のＳＭＡアクチュエータ、及び任意に前記変形可能な部品を前記細長い部材の前記近位端にある１つ又は複数のデバイスに電気接続するワイヤと
をさらに備える、請求項１に記載の装置。
【請求項５】
前記デバイスが超音波信号プロセッサである、請求項４に記載の装置。
【請求項６】
前記可動エレメントに接続される第２の超音波トランスデューサをさらに備える、請求項１に記載の装置。
【請求項７】
接続アームをさらに備え、
前記接続アームが、前記超音波トランスデューサを可動エレメントに接続し、
前記可動エレメント、接続アーム、及びトランスデューサが、前記第１のＳＭＡアクチュエータの駆動時に前記細長い部材と前記第１のアンカーと第２のアンカーに対して第１の方向に移動する、請求項１に記載の装置。
【請求項８】
前記変形可能な部品が第２のＳＭＡアクチュエータを含み、
前記第２のアクチュエータが駆動状態及び停止状態を有し、そして、
前記第１のＳＭＡアクチュエータの停止後の前記第２のＳＭＡアクチュエータの駆動が、前記可動エレメント、コネクタ、及びトランスデューサを前記細長い部材と前記第１のアンカーと第２のアンカーに対して前記第１の移動方向とは反対の第２の移動方向に移動させる、請求項７に記載の装置。
【請求項９】
前記変形可能な部品が弾性又は超弾性であり、
前記変形可能な部品が弛緩状態及び変形状態を有し、
前記変形可能な部品が、前記第１のＳＭＡアクチュエータが停止すると弛緩状態となり、
前記第１のＳＭＡアクチュエータの駆動時の前記可動エレメント、接続アーム、及びトランスデューサの前記第１の方向への前記移動が、前記弾性又は超弾性の変形可能な部品を変形させ、そして、
前記第１のＳＭＡアクチュエータの停止後、前記弾性又は超弾性の変形可能な部品が前記弛緩状態に実質的に戻り、前記可動エレメント、接続アーム、及びトランスデューサが、前記第１の移動方向とは反対の第２の移動方向に移動する、請求項７に記載の装置。
【請求項１０】
可動エレメントに接続される第２の超音波トランスデューサをさらに備える、請求項７に記載の装置。
【請求項１１】
前記超音波トランスデューサが少なくとも２個の超音波クリスタルをさらに有する、請求項７に記載の装置。
【請求項１２】
側視型血管内超音波装置であって、
近位端及び遠位端を有する細長い部材であって、前記遠位端の少なくとも一部分は超音波エネルギーに対して透過性がある、前記細長い部材と、
前記遠位端内に配置されるアクチュエータ機構であって、第１のアンカーと、第２のアンカーと、可動エレメントと、前記第１のアンカー及び前記可動要素に接続される第１のＳＭＡアクチュエータと、前記第２のアンカー及び前記可動エレメントに接続される変形可能な部品とを備え、前記アンカーエレメントが、前記細長い部材に固定され、前記細長い部材に対して移動しない、前記アクチュエータ機構と、
接続アーム及び超音波エネルギーリフレクタであって、前記接続アームが前記超音波エネルギーリフレクタを可動エレメントに接続する、前記接続アーム及び超音波エネルギーリフレクタと、
前記細長い部材の前記遠位端内に配置される超音波トランスデューサと
を備え、
前記第１のアンカーと、前記第２のアンカーと、前記少なくとも１つの可動エレメントと、前記第１のＳＭＡアクチュエータ、および前記アクチュエータ機構の前記変形可能な部品が、前記細長い部材の長手方向軸に対して実質的に平行に配向される長手方向軸に配置され、
前記超音波トランスデューサ及び前記超音波エネルギーリフレクタが、前記細長い部材の長手方向軸に対して約１５度〜約１６５度の角度で、前記遠位端の前記超音波透過性部分を通じて超音波エネルギーを伝達するように配向され、
前記第１のＳＭＡアクチュエータが駆動状態及び停止状態を有し、そして、
前記可動エレメント、接続アーム、及び超音波エネルギーリフレクタが、前記第１のＳＭＡアクチュエータの駆動時に前記細長い部材と前記第１のアンカーと第２のアンカーに対して第１の方向に移動する、前記装置。
【請求項１３】
前記接続アームおよび前記可動エレメントが一体構造である、請求項１２に記載の装置。
【請求項１４】
前記変形可能な部品が第２のＳＭＡアクチュエータを含み、
前記第２のＳＭＡアクチュエータが駆動状態及び停止状態を有し、そして、
前記第１のＳＭＡアクチュエータの停止後の前記第２のＳＭＡアクチュエータの駆動が、前記可動エレメント、接続アーム、及びリフレクタを前記細長い部材に対して前記第１の移動方向とは反対の第２の方向に移動させる、請求項１２に記載の装置。
【請求項１５】
前記変形可能な部品が弾性又は超弾性であり、
前記変形可能な部品が弛緩状態及び変形状態を有し、
前記変形可能な部品が、前記第１のＳＭＡアクチュエータが停止すると弛緩状態となり、
前記第１のＳＭＡアクチュエータの駆動時の前記可動エレメント、接続アーム、及びリフレクタの前記第１の方向への前記移動は、前記弾性又は超弾性の変形可能な部品を変形させ、そして、
前記第１のＳＭＡアクチュエータの停止後、前記弾性又は超弾性の変形可能な部品は前記弛緩状態に実質的に戻り、前記可動エレメント、接続エレメント、及びリフレクタが、前記第１の移動方向とは反対の第２の移動方向に移動する、請求項１２に記載の装置。
【請求項１６】
可動エレメントに接続される第２の超音波エネルギーリフレクタをさらに備える、請求項１２に記載の装置。
【請求項１７】
患者の血管の内部を視覚化する請求項１に記載の装置の制御方法であって、
前記遠位端が患者の血管に挿入された請求項１に記載の装置の、
前記トランスデューサから超音波信号を生成すること、
前記可動エレメント及び超音波トランスデューサが前記第１の方向及び前記第２の方向に移動するように、前記第１のＳＭＡアクチュエータの駆動と停止とを交互に行うこと及び任意に前記変形可能な部品によって、前記可動エレメント及び前記超音波トランスデューサの周期運動を生じさせること、
前記血管の内部から反射した超音波信号を前記トランスデューサで受信すること、及び
前記反射した信号から画像を生成することを含む、前記方法。
【請求項１８】
患者の血管の内部を視覚化する請求項２に記載の装置の方法であって、
前記遠位端が患者の血管に挿入された、請求項２に記載の装置の、
前記トランスデューサから超音波信号を生成すること、
前記可動エレメント及び超音波トランスデューサが前記第１の方向及び前記第２の方向に移動するように、前記第１のＳＭＡアクチュエータ及び前記第２のＳＭＡアクチュエータの駆動を交互に行うことによって、前記可動エレメント及び前記超音波トランスデューサの周期運動を生じさせること、
前記血管の内部から反射した超音波信号を前記トランスデューサで受信すること、及び
前記反射した信号から画像を生成することを含む、前記方法。
【請求項１９】
患者の血管の内部を視覚化する請求項７に記載の装置の方法であって、
前記遠位端が患者の血管に挿入された、請求項７に記載の装置の、
前記トランスデューサから超音波信号を生成すること、
前記可動エレメント、接続アーム、及び超音波トランスデューサが前記第１の方向及び前記第２の方向に移動するように、前記第１のＳＭＡアクチュエータの駆動と停止とを交互に行うこと及び任意に前記変形可能な部品によって、前記可動エレメント、接続アーム、及び超音波トランスデューサの周期運動を生じさせること、
前記血管の内部から反射した超音波信号を前記トランスデューサで受信すること、及び
前記反射した信号から画像を生成することを含む、前記方法。
【請求項２０】
患者の血管の内部を視覚化する請求項８に記載の装置の方法であって、
前記遠位端が患者の血管に挿入された、請求項８に記載の装置の、
前記トランスデューサから超音波信号を生成すること、
前記可動エレメント、前記接続アーム、及び前記超音波トランスデューサが前記第１の方向及び前記第２の方向に移動するように、前記第１のＳＭＡアクチュエータ及び前記第２のＳＭＡアクチュエータの駆動を交互に行うことによって、前記可動エレメント、接続アーム、及び超音波トランスデューサの周期運動を生じさせること、
前記血管の内部から反射した超音波信号を前記トランスデューサで受信すること、及び
前記反射した信号から画像を生成することを含む、前記方法。
【請求項２１】
患者の血管の内部を視覚化する請求項１２に記載の装置の方法であって、
前記遠位端が患者の血管に挿入された、請求項１２に記載の装置の、
前記トランスデューサから超音波信号を生成すること、
前記可動エレメント、接続アーム、及び超音波エネルギーリフレクタが前記第１の方向及び前記第２の方向に移動するように、前記第１のＳＭＡアクチュエータ及び前記第２のＳＭＡアクチュエータの駆動を交互に行うことによって、前記可動エレメント、接続アーム、及び超音波エネルギーリフレクタの周期運動を生じさせること、
前記血管の内部から反射した超音波信号を前記トランスデューサで受信すること、及び
前記反射した信号から画像を生成することを含む、前記方法。
【請求項２２】
患者の血管の内部を視覚化する請求項１４に記載の装置の方法であって、
前記遠位端が患者の血管に挿入された、請求項１４に記載の装置の、
前記トランスデューサから超音波信号を生成すること、
前記可動エレメント、接続アーム、及び超音波エネルギーリフレクタが前記第１の方向及び前記第２の方向に移動するように、前記第１のＳＭＡアクチュエータ及び前記第２のＳＭＡアクチュエータの駆動を交互に行うことによって、前記可動エレメント、接続アーム、及び超音波エネルギーリフレクタの周期運動を生じさせること、
前記血管の内部から反射した超音波信号を前記トランスデューサで受信すること、及び
前記反射した信号から画像を生成することを含む、前記方法。
【請求項２３】
側視型血管内超音波装置であって、
近位端及び遠位端を有する細長い部材であって、前記遠位端の少なくとも一部分は超音波エネルギーに対して透過性がある、前記細長い部材と、
前記遠位端内に配置される超音波トランスデューサと、
前記遠位端内に配置される前記トランスデューサに周期運動を与えるアクチュエータ機構手段と
を備え、
前記アンカー機構の長手方向軸が、前記細長い部材の長手方向軸に対して実質的に平行に配向され、
前記トランスデューサが、前記細長い部材の長手方向軸に対して約１５度〜約１６５度の角度で、前記遠位端の前記超音波透過性部分を通じて前記超音波エネルギーを伝達するように配向される、前記装置。
【請求項２４】
前記アクチュエータ機構手段が、第１のアンカーと、第２のアンカーと、可動エレメントと、前記第１のアンカー及び前記可動エレメントに接続される第１のＳＭＡアクチュエータと、前記第２のアンカー及び前記可動エレメントに接続される変形可能な部品とを備え、前記アンカーエレメントが、前記細長い部材に固定され、前記細長い部材に対して移動せず、そして、
前記第１のアンカーと、前記第２のアンカーと、前記可動エレメントと、前記第１のＳＭＡアクチュエータ、および前記アクチュエータ機構の前記変形可能な部品が、前記細長い部材の長手方向軸に対して実質的に平行に配向される長手方向軸に配置される、
請求項２３に記載の側視型血管内超音波装置。
【請求項２５】
前記装置が前記可動エレメントに１つだけ超音波トランスデューサを有する、請求項１〜２４のいずれか一項に記載の装置または方法。
【請求項２６】
前記装置が前記可動エレメントに２つだけ超音波トランスデューサを有する、請求項１〜２４のいずれか一項に記載の装置または方法。
【請求項２７】
前記装置が前記可動エレメントに３つだけ超音波トランスデューサを有する、請求項１〜２４のいずれか一項に記載の装置または方法。
【請求項２８】
側視型血管内光コヒーレンストモグラフィ装置であって、
近位端及び遠位端を有する細長い部材であって、前記遠位端の少なくとも一部分は光エネルギーに対して少なくとも部分的に透過性がある、前記細長い部材と、
前記遠位端内に配置されるアクチュエータ機構であって、第１のアンカーと、第２のアンカーと、少なくとも１つの可動エレメントと、前記第１のアンカー及び前記少なくとも１つの可動エレメントに接続される第１のＳＭＡアクチュエータと、前記第２のアンカー及び少なくとも１つの可動エレメントに接続される変形可能な部品とを備え、前記アンカーエレメントが、前記細長い部材に固定され、前記細長い部材に対して移動しない、前記アクチュエータ機構と、
近位端及び前記遠位端を有する光ファイバであって、前記光ファイバの前記遠位端が、前記細長い部材の長手方向軸に対して実質的に平行に前記細長い部材の前記遠位端内に配置される、前記光ファイバと、
前記可動エレメントに接続されるリフレクタであって、前記細長い部材の前記長手方向軸に対して約１５度〜約１６５度の角度で、前記遠位端の前記透過性部分を通じて前記光ファイバの遠位先端から光エネルギーを反射するように配向される、前記リフレクタを備え、
前記第１のアンカーと、前記第２のアンカーと、前記少なくとも１つの可動エレメントと、前記第１のＳＭＡアクチュエータ、および前記アクチュエータ機構の前記変形可能な部品が、前記細長い部材の長手方向軸に対して実質的に平行に配向される長手方向軸に配置され、
前記第１のＳＭＡアクチュエータが駆動状態及び停止状態を有し、そして、  前記可動エレメント及びミラーが、前記第１のＳＭＡアクチュエータの駆動時に前記細長い部材と前記第１のアンカーと第２のアンカーに対して第１の方向に移動する、前記装置。
【請求項２９】
前記変形可能な部品が第２のＳＭＡアクチュエータを含み、
前記第２のアクチュエータが駆動状態及び停止状態を有し、そして、
前記第１のＳＭＡアクチュエータの停止後の前記第２のＳＭＡアクチュエータの駆動が、前記可動エレメント及びリフレクタを前記細長い部材と前記第１のアンカーと第２のアンカーに対して前記第１の移動方向とは反対の第２の移動方向に移動させる、請求項２５に記載の装置。
【請求項３０】
前記変形可能な部品が弾性又は超弾性であり、
前記変形可能な部品が弛緩状態及び変形状態を有し、
前記変形可能な部品が、前記第１のＳＭＡアクチュエータが停止すると弛緩状態となり、
前記第１のＳＭＡアクチュエータの駆動時の前記可動エレメント及びリフレクタの前記第１の方向への前記移動が、前記弾性又は超弾性の変形可能な部品を変形させ、そして、
前記第１のＳＭＡの停止後、前記弾性又は超弾性の変形可能な部品は前記弛緩状態に実質的に戻り、前記可動エレメント及びフレクタが、前記第１の移動方向とは反対の第２の移動方向に移動する、請求項２５に記載の装置。
【請求項３１】
前記細長い部材の前記長手方向軸を横断する管腔と、
前記管腔内に配置されて、前記第１のＳＭＡアクチュエータ及び任意に前記変形可能な部品を前記細長い部材の前記近位端にある１つ又は複数のデバイスに電気接続するワイヤとをさらに備える、請求項２５に記載の装置。
【請求項３２】
前記デバイスが信号プロセッサである、請求項３１に記載の装置。
【請求項３３】
接続アームをさらに備え、
前記接続アームが、前記リフレクタを可動エレメントに接続し、
前記可動エレメント、接続アーム、及びリフレクタが、前記第１のＳＭＡアクチュエータの駆動時に前記細長い部材と前記第１のアンカーと第２のアンカーに対して第１の方向に移動する、請求項２５に記載の装置。
【請求項３４】
前記可動エレメントおよび前記接続アームが一体構造である、請求項１２に記載の装置。
【請求項３５】
前記変形可能な部品が第２のＳＭＡアクチュエータを含み、
前記第２のＳＭＡアクチュエータが前記駆動状態及び前記停止状態を有し、
前記第１のＳＭＡアクチュエータの停止後の前記第２のＳＭＡアクチュエータの駆動が、前記可動エレメント、前記接続アーム、及び前記リフレクタを前記細長い部材と前記第１のアンカーと第２のアンカーに対して前記第１の移動方向とは反対の第２の移動方向に移動させる、請求項３３に記載の装置。
【請求項３６】
前記変形可能な部品は弾性又が超弾性であり、弛緩状態及び変形状態を有し、
前記変形可能な部品が、前記第１のＳＭＡアクチュエータが停止すると弛緩状態となり、
前記第１のＳＭＡアクチュエータの駆動時の前記可動エレメント、接続アーム、及びリフレクタの前記第１の方向への前記移動が、前記弾性又は超弾性の変形可能な部品を変形させ、そして、
前記第１のＳＭＡアクチュエータの停止後、前記弾性又は超弾性の変形可能な部品が前記弛緩状態に実質的に戻り、前記可動エレメント、接続アーム、及びリフレクタは、前記第１の移動方向とは反対の第２の移動方向に移動する、請求項３３に記載の装置。
【請求項３７】
側視型血管内光コヒーレンストモグラフィ装置であって、
近位端及び遠位端を有する細長い部材であって、前記遠位端の少なくとも一部分は光エネルギーに対して透過性がある、前記細長い部材と、
前記遠位端内に配置されるアクチュエータ機構であって、第１のアンカーと、第２のアンカーと、可動エレメントと、前記第１のアンカー及び前記可動エレメントに接続される第１のＳＭＡアクチュエータと、前記第２のアンカー及び前記可動エレメントに接続される変形可能な部品とを備え、前記アンカーエレメントが、前記細長い部材に固定され、前記細長い部材に対して移動しない、前記アクチュエータ機構と、
近位端及び遠位端を有する光ファイバであって、前記光ファイバの前記遠位端が、前記細長い部材の長手方向軸に対して実質的に平行に前記細長い部材の前記遠位端内に配置され、前記可動エレメントが前記光ファイバの前記遠位端に接続される、前記光ファイバと、
前記光ファイバの遠位先端に接続されるリフレクタであって、前記細長い部材の前記長手方向軸に対して約１５度〜約１６５度の角度で、前記遠位端の前記透過性部分を通じて前記光ファイバの前記遠位先端から光エネルギーを反射するように配向される、前記リフレクタとを備え、
前記第１のアンカーと、前記第２のアンカーと、前記可動エレメントと、前記第１のＳＭＡアクチュエータ、および前記アクチュエータ機構の前記変形可能な部品が、前記細長い部材の長手方向軸に対して実質的に平行に配向される長手方向軸に配置され、
前記第１のＳＭＡアクチュエータが駆動状態及び停止状態を有し、そして、
前記可動エレメント、前記光ファイバの遠位先端、及び前記リフレクタが、前記第１のＳＭＡアクチュエータの駆動時に前記細長い部材と前記第１のアンカーと第２のアンカーに対して第１の方向に移動する、前記装置。
【請求項３８】
前記変形可能な部品が第２のＳＭＡアクチュエータを含み、
前記第２のアクチュエータが駆動状態及び停止状態を有し、そして、
前記第１のＳＭＡアクチュエータの停止後の前記第２のＳＭＡアクチュエータの駆動が、前記可動エレメント、前記光ファイバの遠位先端、及び前記リフレクタを前記細長い部材と前記第１のアンカーと第２のアンカーに対して前記第１の移動方向とは反対の第２の方向に移動させる、請求項３７に記載の装置。
【請求項３９】
前記変形可能な部品は弾性又が超弾性であり、弛緩状態及び変形状態を有し、
前記変形可能な部品が、前記第１のＳＭＡアクチュエータが停止すると弛緩状態となり、
前記第１のＳＭＡの駆動時の前記可動エレメント、前記光ファイバの遠位先端、及び前
記リフレクタの前記第１の方向への前記移動が、前記弾性又は超弾性の変形可能な部品を変形させ、そして、
前記第１のＳＭＡアクチュエータの停止後、前記弾性又は超弾性の変形可能な部品が前記弛緩状態に実質的に戻り、前記可動エレメント、前記光ファイバの遠位先端、及び前記リフレクタが、前記第１の移動方向とは反対の第２の移動方向に移動する、請求項３７に記載の装置。
【請求項４０】
患者の血管の内部を視覚化する請求項２５に記載の装置の制御方法であって、
前記遠位端が患者の血管に挿入された、請求項２５に記載の装置の、
前記可動エレメント及び前記リフレクタが前記第１の方向及び前記第２の方向に移動するように、前記第１のＳＭＡアクチュエータの駆動と停止とを交互に行うこと及び任意に前記変形可能な部品によって、前記可動エレメント及びリフレクタの周期運動を生じさせること、
前記光ファイバの前記近位端から前記遠位先端に光エネルギーを伝達し、前記エネルギーを前記リフレクタで反射させること、
前記血管の内部から反射した光エネルギーを前記リフレクタで受けると共に、前記エネルギーを前記光ファイバの前記遠位先端で反射させること、
前記光ファイバの前記遠位先端から前記ファイバの前記近位端に前記エネルギーを伝達すること、及び
前記反射したエネルギーから画像を生成することを含む、前記方法。
【請求項４１】
患者の血管の内部を視覚化する請求項２９に記載の装置の制御方法であって、
前記遠位端が患者の血管に挿入された、請求項２９に記載の装置の、
前記可動エレメント及びリフレクタが前記第１の方向及び前記第２の方向に移動するように、前記第１のＳＭＡアクチュエータ及び前記第２のＳＭＡアクチュエータの駆動を交互に行うことによって、前記可動エレメント及びリフレクタの周期運動を生じさせること、
前記光ファイバの前記近位端から前記遠位先端に光エネルギーを伝達し、前記エネルギーを前記リフレクタで反射させること、
前記血管の内部から反射した光エネルギーをリフレクタで受けると共に、前記エネルギーを前記光ファイバの前記遠位先端で反射させること、
前記光ファイバの前記遠位先端から前記ファイバの前記近位端に前記エネルギーを伝達すること、及び
前記反射した光エネルギーから画像を生成することを含む、前記方法。
【請求項４２】
患者の血管の内部を視覚化する請求項３３に記載の装置の制御方法であって、
前記遠位端が患者の血管に挿入された、請求項３３に記載の装置の、
前記可動エレメント、前記接続アーム、及び前記リフレクタが前記第１の方向及び前記第２の方向に移動するように、前記第１のＳＭＡアクチュエータの駆動と停止とを交互に行うこと及び任意に前記変形可能な部品によって、前記可動エレメント、接続アーム、及びリフレクタの周期運動を生じさせること、
前記光ファイバの前記近位端から前記遠位先端に光エネルギーを伝達し、前記エネルギーを前記リフレクタで反射させること、
前記血管の内部から反射した光エネルギーを前記リフレクタで受けると共に、前記エネルギーを前記光ファイバの前記遠位先端で反射させること、
前記光ファイバの前記遠位先端から前記光ファイバの前記近位端に前記エネルギーを伝達すること、及び
前記反射したエネルギーから画像を生成することを含む、前記方法。
【請求項４３】
患者の血管の内部を視覚化する請求項３４に記載の装置の制御方法であって、
前記遠位端が患者の血管に挿入された、請求項３４に記載の装置の、
前記可動エレメント、接続アーム、及びリフレクタが前記第１の方向及び前記第２の方向に移動するように、前記第１のＳＭＡアクチュエータ及び前記第２のＳＭＡアクチュエータの駆動を交互に行うことによって、前記可動エレメント、接続アーム、及びリフレクタの周期運動を生じさせること、
前記光ファイバの前記近位端から前記遠位先端に光エネルギーを伝達し、前記エネルギーを前記リフレクタで反射させること、
前記血管の内部から反射した光エネルギーを前記リフレクタで受けると共に、前記エネルギーを前記光ファイバの前記遠位先端で反射させること、
前記光ファイバの前記遠位先端から前記ファイバの前記近位端に前記エネルギーを伝達すること、及び
前記反射したエネルギーから画像を生成することを含む、前記方法。
【請求項４４】
患者の血管の内部を視覚化する請求項３７に記載の装置の制御方法であって、
前記遠位端が患者の血管に挿入された、請求項３７に記載の装置の、
前記可動エレメント、前記光ファイバの前記遠位先端、及び前記リフレクタが前記第１の方向及び前記第２の方向に移動するように、前記第１のＳＭＡアクチュエータの駆動と停止とを交互に行うこと及び任意に前記変形可能な部品によって、前記可動エレメント、前記光ファイバの遠位先端、及び前記リフレクタの周期運動を生じさせること、
前記光ファイバの前記近位端から前記遠位先端に光エネルギーを伝達し、前記エネルギーを前記リフレクタで反射させること、
前記血管の内部から反射した光エネルギーをリフレクタで受けると共に、前記エネルギーを前記光ファイバの前記遠位先端で反射させること、
前記光ファイバの前記遠位先端から前記ファイバの前記近位端に前記エネルギーを伝達すること、及び
前記反射したエネルギーから画像を生成することを含む、前記方法。
【請求項４５】
患者の血管の内部を視覚化する請求項３８に記載の装置の制御方法であって、
前記遠位端が患者の血管に挿入された、請求項３８に記載の装置の、
前記可動エレメント、前記光ファイバの遠位先端、及び前記リフレクタが前記第１の方向及び前記第２の方向に移動するように、前記第１のＳＭＡアクチュエータ及び前記第２のＳＭＡアクチュエータの駆動を交互に行うことによって、前記可動エレメント、前記光ファイバの遠位先端、及び前記リフレクタの周期運動を生じさせること、
前記光ファイバの前記近位端から前記遠位先端に光エネルギーを伝達し、前記エネルギーを前記リフレクタで反射させること、
前記血管の内部から反射した光エネルギーをリフレクタで受けると共に、前記エネルギーを前記光ファイバの前記遠位先端で反射させること、
前記光ファイバの前記遠位先端から前記光ファイバの前記近位端に前記エネルギーを伝達すること、及び
前記反射したエネルギーから画像を生成することを含む、前記方法。
【請求項４６】
側視型血管内光コヒーレンストモグラフィ装置であって、
近位端及び遠位端を有する細長い部材であって、前記遠位端の少なくとも一部分は光エネルギーに対して透過性がある、前記細長い部材と、
遠位端を有する光ファイバであって、前記光ファイバの前記遠位端が、前記細長い部材の前記遠位端内に配置される、前記光ファイバと、
前記細長い部材の前記遠位端内に配置されるリフレクタ手段と、
前記リフレクタに周期運動を与えるアクチュエータ機構手段とを備え、
前記アンカー機構の長手方向軸が、前記細長い部材の長手方向軸に対して実質的に平行に配向され、そして、
前記リフレクタ及び前記光ファイバの前記遠位端が、前記細長い部材の長手方向軸に対して約１５度〜約１６５度の角度で、前記細長い部材の前記遠位端の前記光透過性部分を通じて光エネルギーを伝達するように配向される、前記装置。
【請求項４７】
前記アクチュエータ機構手段が、第１のアンカーと、第２のアンカーと、可動エレメントと、前記第１のアンカー及び前記可動エレメントに接続される第１のＳＭＡアクチュエータと、前記第２のアンカー及び前記可動要素に接続される変形可能な部品とを備え、前記アンカーエレメントが、前記細長い部材に固定され、前記細長い部材に対して移動せず、
前記第１のアンカーと、前記第２のアンカーと、前記可動エレメントと、前記第１のＳＭＡアクチュエータ、および前記アクチュエータ機構の前記変形可能な部品が、前記細長い部材の長手方向軸に対して実質的に平行に配向される長手方向軸に配置される、
請求項４６に記載の側視型血管内光コヒーレンストモグラフィ装置。
【請求項４８】
前記第１の移動方向及び前記第２の移動方向、または前記周期運動が、前記細長い部材の前記長手方向軸を中心に回転するか、又は前記細長い部材の前記長手方向軸に対して実質的に平行である、請求項１〜１６、２３、２４、２８〜３９、４６、４７のいずれか一項に記載の装置。
【請求項４９】
前記第１の移動方向及び前記第２の移動方向、または前記周期運動が、前記細長い部材の前記長手方向軸を中心に回転する、請求項１〜１６、２３、２４、２８〜３９、４６、４７のいずれか一項に記載の装置。
【請求項５０】
前記第１の移動方向及び前記第２の移動方向、または前記周期運動が、前記細長い部材の前記長手方向軸に対して実質的に平行である、請求項１〜１６、２３、２４、２８〜３９、４６、４７のいずれか一項に記載の装置。
【請求項５１】
前記回転移動が約１度〜約４００度であり、前記長手方向移動が約１ｍｍ〜約２０ｍｍである、請求項１〜１６、２３、２４、２８〜３９、４６〜５０のいずれか一項に記載の装置。
【請求項５２】
前記角度が約８０度〜約１１０度である、請求項１〜１６、２３、２４、２８〜３９、４６〜５１のいずれか一項に記載の装置。
【請求項５３】
前記細長い部材がガイドワイヤである、請求項１〜１６、２３、２４、２８〜３９、４６〜５２のいずれか一項に記載の装置。
【請求項５４】
前記細長い部材の前記遠位端の直径が約０．０６０インチ以下である、請求項１〜１６、２３、２４、２８〜３９、４６〜５３のいずれか一項に記載の装置。
【請求項５５】
前記第１の移動方向及び前記第２の移動方向、または前記周期運動が、前記細長い部材の前記長手方向軸を中心に回転するか、又は前記細長い部材の前記長手方向軸に対して実質的に平行である、請求項１７〜２２、２５〜２７、４０〜４５のいずれか一項に記載の方法。
【請求項５６】
前記第１の移動方向及び前記第２の移動方向、または前記周期運動が、前記細長い部材の前記長手方向軸を中心に回転する、請求項１７〜２２、２５〜２７、４０〜４５のいずれか一項に記載の方法。
【請求項５７】
前記第１の移動方向及び前記第２の移動方向、または前記周期運動が、前記細長い部材
の前記長手方向軸に対して実質的に平行である、請求項１７〜２２、２５〜２７、４０〜４５のいずれか一項に記載の方法。
【請求項５８】
前記回転移動が約１度〜約４００度であり、前記長手方向移動が約１ｍｍ〜約２０ｍｍである、請求項１７〜２２、２５〜２７、４０〜４５、５５〜５７のいずれか一項に記載の方法。
【請求項５９】
前記角度が約８０度〜約１１０度である、請求項１７〜２２、２５〜２７、４０〜４５、５５〜５８のいずれか一項に記載の装置または方法。
【請求項６０】
前記細長い部材がガイドワイヤである、請求項１７〜２２、２５〜２７、４０〜４５、５５〜５９のいずれか一項に記載の方法。
【請求項６１】
前記細長い部材の前記遠位端の直径が約０．０６０インチ以下である、請求項１７〜２２、２５〜２７、４０〜４５、５５〜６０のいずれか一項に記載の装置または方法。